(57)【要約】【課題】遊技球を貯留する貯留部において簡単な構造で球詰まりを引き起こすことのない遊技機を提供することにある。【解決手段】  遊技球を貯留する貯留部３０と、該貯留部３０の遊技球を整列する整流通路３１と、該整流通路３１で整列された遊技球を放出する送出手段２０とを備え、貯留部３０は整流通路３１に向かって底面２５が下り傾斜し、整流通路３１に連通するように下流側は誘導壁３２ａを貯留部３０内に膨出して漸次幅狭に形成され、誘導壁３２ａはすべて曲面で形成され、該誘導壁３２ａに遊技球が連なった状態で隣に位置する遊技球の接触する誘導壁の曲面の曲率が夫々異なるようにした。【選択図】図４
2010264017.tif 000002
【特許請求の範囲】
【請求項１】
遊技球を貯留する貯留部と、該貯留部の遊技球を整列する整流通路と、該整流通路で整列された遊技球を放出する送出手段とを備え、
前記貯留部は前記整流通路に向かって底面が下り傾斜し、前記整流通路に連通するように下流側は誘導壁を貯留部内に膨出して漸次幅狭に形成され、
前記誘導壁はすべて曲面で形成され、該誘導壁に遊技球が連なった状態で隣に位置する遊技球の接触する誘導壁の曲面の曲率が夫々異なることを特徴とする遊技機。
【請求項２】
前記誘導壁は、貯留部の底面を下流側に隆起した第一誘導部と外周壁から膨出させた第二誘導部を曲面で繋げて凸状に形成され、下流に向けて遊技球を整流させるように底面の平滑部を漸次狭めながら、遊技球が整列される整流通路の側壁から連続的な曲面で繋げて形成されることを特徴とする請求項１記載の遊技機。
【発明の詳細な説明】
【技術分野】
【０００１】
本発明は、遊技球の貯留部を備えた遊技機に関する。
【背景技術】
【０００２】
従来、遊技球を遊技媒体として使用する遊技機の一種であるぱちんこ機は、矩形状の外枠に対して内枠が開閉可能に組み付けられ、該内枠にヒンジを介して前枠が開閉可能に配置されている。そして、内枠には、遊技盤が着脱可能に組み付けられ、遊技盤の裏面上部位置に、多数の遊技球が貯留可能な貯留部をもつ上方に開口した球タンクが装着され、その下方に球タンクから放出された遊技球を整列して球払出装置に導く傾斜状のタンクレールが配置されている。
【０００３】
また、前枠には球払出装置から払い出された遊技球を一時的に貯留して、その貯留した遊技球を球発射装置に１個ずつ供給する球受皿を備えている。この球受皿は、遊技球を一時的に貯留する貯留部と、その貯留部で貯留した遊技球を１列に整列して流下させる整流通路とを有している。
【０００４】
このように、この種のぱちんこ機においては、一旦貯留部に貯留した遊技球を一列に整列して球払出装置に導いたり、球発射装置に導いたりしている。これら貯留部の遊技球を一列に整列する際に、球の流路幅が狭まる部分で球圧等により球が詰まることがあった。
【０００５】
そこで、これを解消するものとして、上皿の横幅が徐々に狭くなる部分で遊技球が詰まった場合を的確に検出して、振動部材を必要とされるタイミングで振動させることにより、遊技球の球止まり状態を解消するようにした球受皿が提案されている（特許文献１参照）。
【０００６】
また、球タンクに膨出部を設けて球タンク内の遊技球を整列させる球通路部を設けた遊技機が提案されている（特許文献２参照）。
【先行技術文献】
【特許文献】
【０００７】
【特許文献１】特開２００７−１４８２２号公報
【特許文献２】特開平７−５１４５３号公報
【発明の概要】
【発明が解決しようとする課題】
【０００８】
しかしながら、特許文献１のような球受皿においては、球止まり状態を検出する上流側センサ及び遊技球がないことを検出するための下流側センサを必要とし、さらに遊技球の球止まり状態を解消するために振動する振動部材を必要としている。そのため、部品点数が増加し球受皿の構成も複雑になり、球受皿が大きくなり全体的にコストが高くなるという問題がある。また、電気的制御が必要となり、回路基板の設計や配線作業に手間がかかるという問題がある。
【０００９】
また、特許文献２のような遊技機においては、球タンクの膨出部は単に徐々に通路幅に狭めて整列するようにしているだけであるため、連続する遊技球が球荷重によって膨出部に沿って移動する際に、連続する遊技球の移動方向が同じになることがあり、その球圧が狭窄部に一気に集中するとその狭窄部で球詰まりを起こすという問題がある。
【００１０】
本発明の遊技機は、上記従来技術の課題を解決することを目的とし、簡単な構造で貯留部における貯留された遊技球の球詰まりを解消し、球詰まりすることなく遊技球を整流させることができる遊技機を提供することにある。
【課題を解決するための手段】
【００１１】
上記目的を達成するため、本発明の遊技機は、遊技球を貯留する貯留部と、該貯留部の遊技球を整列する整流通路と、該整流通路で整列された遊技球を放出する送出手段とを備え、前記貯留部は前記整流通路に向かって底面が緩やかに下り傾斜し、前記整流通路に連通するように下流側は誘導壁を貯留部内に膨出して漸次幅狭に形成され、前記誘導壁はすべて曲面で形成され、該誘導壁に遊技球が連なった状態で隣に位置する遊技球の接触する位置誘導壁の曲面の曲率が夫々異なることを特徴とする。
【００１２】
また、前記誘導壁は、貯留部の底面を下流側に隆起した第一傾斜誘導部と外周壁から膨出させた第二傾斜誘導部を曲面で繋げて凸状の整流部をに形成しされ、下流に向けて遊技球を整流させるように底面の平滑部を漸次狭めながら、遊技球が整列される整流通路の側壁から不連続的なにならないように曲面で繋げて形成されることを特徴とする。この構成により遊技球をスムーズに整流させることができる。
【００１３】
また、前記第一傾斜誘導部の勾配は前記第二傾斜誘導部の勾配より小さく設定されることを特徴とする。この構成により、流下方向の球圧を徐々に吸収することができる。
【００１４】
また、前記第一傾斜誘導部は、整流通路側に向って凸状に張り出し、球一個が流れを制約させることなく平滑部と所定角度の傾斜を保つように、隆起部が整流通路まで形成され該整流通路によって隆起部が切欠された形状を備えることを特徴とする。この構成により、整流通路での遊技球の流下を安定させることができる。
【００１５】
前記整流通路には球流れ用の金属プレートが設けられ、該金属プレートによって隆起部が切断された形状を備える。
【００１６】
また、前記送出手段は賞球又は貸球として遊技球を払出す球払出装置であり、前記貯留部は前記球払出装置に遊技球を供給する球タンクである。
【００１７】
また、前記遊技機は発射装置により遊技盤面に遊技球を発射するぱちんこ機であり、前記送出手段は前記発射装置に遊技球を供給する打球供給装置であり、前記貯留部は前記打球供給装置に遊技球を供給する球受皿である。
【００１８】
前記球受皿は、球払出装置から払い出された遊技球が流出する球導入口と球発射装置に遊技球を供給する球導出口とを備え、遊技球を貯留する皿部は前記球導入口側から球導出口側に向かって底面が緩やかに下り傾斜し、その下流側に誘導壁を貯留部内に膨出して漸次幅狭となり遊技球を最終的に一列に誘導整列させる整流通路が形成され、貯留部のほぼ中央に球抜き孔が開設され、前記誘導壁は、球抜き孔に向けて貯留部の底面を下流側に隆起して遊技球を整流させるように底面の平滑部を漸次狭めながら、一列に整列された整流通路の側壁から不連続にならないように的な曲面で繋げて形成される。
【発明の効果】
【００１９】
上述した遊技機によれば、整流通路へ誘導する誘導壁は、連続状態の遊技球が該誘導壁に接触した位置の曲面の曲率が夫々異なるように設定されているため、球荷重により移動していく方向（ベクトル）が同じになることがないため、球止りをすることなく整流することができる。
【図面の簡単な説明】
【００２０】
【図１】ぱちんこ機の正面図である。
【図２】ぱちんこ機の背面図である。
【図３】前枠を開放したぱちんこ機の斜視図である。
【図４】球タンクの斜視図である。
【図５】球タンクの平面図である。
【図６】誘導壁部の要部断面図である。
【図７】球受皿の分解斜視図である。
【図８】皿部材の斜視図である。
【図９】皿部材の平面図である。
【図１０】（ａ）は遊技球を正面から見た接触部を示し、（ｂ）は遊技球を底面から見た接触部を示す説明図である。
【発明を実施するための形態】
【００２１】
以下に、この発明における実施形態について図面を参照して説明する。遊技機としてのぱちんこ機１は、図１乃至図３に示すように、そのぱちんこ機１の外郭を形成する額縁状の外枠２を備え、その外枠２の前面にヒンジ３により一側（ぱちんこ機１を正面視して左側）を枢支して、その前面側に向かって片開き可能に内枠４が支持されている。内枠４には、ガイドレール５により遊技領域６ａが形成された遊技盤６が装着され、その下方に発射装置７が設けられている。また、内枠４の前面にその内枠４の横幅寸法と略同じ横幅寸法を有するように構成され、遊技盤６の遊技領域６ａをガラス等の透明板を介して視認し得る窓部１９を備えた前枠９がヒンジにより開閉自在に設けられている。
【００２２】
前枠９は、図１に示すように窓部１４の下方前面に、遊技球を貯留し、貯留した遊技球を整流して発射装置７に遊技球を供給する球受皿１０を設けている。そして、ぱちんこ機１を正面視して球受皿１０の右下側に遊技球の発射力を調節する発射ハンドル１３が設けられている。また、図３に示すように球受皿１０の裏面側には発射装置７に遊技球を一個ずつ送り出す打球供給装置（送出手段）１１を備えている。
【００２３】
なお、本明細書において、ぱちんこ機１における上下方向とは遊技盤６の盤面に沿う態様で遊技領域６ａを遊技球が流下する方向（鉛直方向）を意味する。また、左右方向とは遊技盤６の盤面に沿う態様で上下方向に直交する方向（水平方向）を意味し、遊技者と正対して遊技者から見た左右を示す。また、前後方向とは遊技盤６の盤面に直交する方向（水平方向）を意味し、遊技盤６の遊技者側が前側であり、遊技盤６の奥側（遊技領域５ａの反対側）が後側である。
【００２４】
内枠４は、図２及び図３に示すように合成樹脂により縦長方形状に形成されると共に中央に開口部１７が開設された枠状に形成される。そして、開口部１７の背面上方には、遊技機島の補給経路（図示せず）から補給される遊技球を貯留する球タンク１８が設けられている。また、球タンク１８の下流側に遊技球を整列して流下させる直線及び屈曲状の球誘導路１９が設けられている。また、その球誘導路１９の下流側には所定個数の遊技球を計数して払い出す球払出装置２０（送出手段）が設けられている。そして、その球払出装置２０の下流側には、該球払出装置２０から払出された遊技球を払出口１０ａから球受皿１０（図１参照）へと誘導する球払出通路２１が設けられている。
【００２５】
球タンク１８は、図４及び図５に示すように、底壁２５と遊技球が多段に積み重なり得る高さを有する前側壁２６と該前側壁２６に対向する後側壁（外周壁）２７と、左右側壁２８，２９とによって上面が開口する平面略長方形の有底箱状に形成され、所定量の遊技球が貯留される貯留部３０と、貯留部３０の遊技球を収斂して整流させる球整流路部（整流通路）３１を備えている。球整流路部３１は球誘導路１９と連通し、整流された遊技球は球払出装置２０に導かれる。
【００２６】
貯留部３０は、底壁２５を遊技球が自重により転動し得るように高低差をつけて一側面（実施例では左側壁２８）に向かって例えば３°〜５°の緩やかな傾斜角度（図上では４°）に下傾して形成されている。そして、後側壁２７の略中央から対角部をなす貯留部３０の隅角（実施例では前側壁２６と右側壁２９とで形成される隅角）近傍に向う斜めの線を境界部として、後側壁２７から左側壁２８及び前側壁２６に向けて下傾する（図５に示す矢印方向）第二傾斜面２５ａが形成されている。そして、貯留部３０の下流側であり後側壁２７側に、遊技球を収斂して球整流路部３１を形成する整流部３２を膨出して設けている。また、整流部３２により収斂して形成された球整流路部３１の下流端の右側壁２９に球流出口３３が開設され、球流出口３３は球タンク１８の短手方向に沿う開口幅が複数個の遊技球が同時に通過し得る大きさに開口されている。実施例では球流出口３３の開口幅は、遊技球が２個並行で通過し得る（遊技球の流下方向に沿って２列状態）大きさとしている。そして、球流出口３３を介して球整流路部３１に連通する球誘導路１９が貯留部３０の長手方向に沿うように合成樹脂により球タンク１８と一体に成形されている。なお、実施例では球誘導路１９を球タンク１８と一体とするが、球誘導路１９は球タンク１８と別体に形成してもよいのはいうまでもない。
【００２７】
整流部３２は、凸状の円弧面の誘導壁（第二傾斜誘導部）３２ａを遊技球の流下方向に沿って貯留部３０内方への突出量が所定値（実施例では２個並列する程度）になるまで徐々に増大するように膨出して設けている。これにより貯留部３０の下流部分が徐々に狭められ、貯留部３０を流下する遊技球が最終的に球誘導路１９の通路と同幅に収斂して球整流路部３１を形成している。また、整流部３２の誘導壁３２ａ立ち上がり部分に図５矢印に示すように、貯留部３０側に向かって放射状に下傾する隆起部（第一傾斜誘導部）３４が遊技球の半球程度の高さで設けられ、貯留部３０の底壁２５との境を、緩やかな曲率の曲面となるように形成している。誘導壁３２ａは、隆起部３４と曲面上に繋げて凸部を形成し、下流に向けて球を整流させるように底面の平滑部を漸次狭めながら、遊技球を整流させる球整流路部３１の側壁にかけて不連続にならないように滑らかな曲面で繋げて形成される。
【００２８】
そして、隆起部（第一傾斜誘導部）３４及び誘導壁（第二傾斜誘導部）３２ａはすべて曲面で形成されており、その曲面は遊技球が互いに隣接した状態で誘導壁３２ａと接触する位置の曲率が夫々異なるように形成されている。具体的には、図６に示すように誘導壁３２ａに連続状態の遊技球Ｂ１，Ｂ２が接触する位置の曲率中心はそれぞれＯ１，Ｏ２と異なっており、それらに連続する遊技球Ｂ３，Ｂ４の曲率中心も隣接する遊技球と異なっている。つまり、同じ曲率中心を有する曲面は大きくても遊技球の１個分より小となるように形成される。これにより、遊技球が隣接（接触）した状態で、球荷重により移動する際の方向性（ベクトル）が常に異なることになるため、球圧が分散され貯留部３０で球詰まりを起こすことなく整流される。
【００２９】
また、隆起部３４は、図１０に示す遊技球Ｂの部位Ｓ１が接触し得る緩やかな傾斜の曲率の曲面に形成している。誘導壁３２ａの立ち上がり部を緩やかな傾斜の曲面とすることにより、流下方向の過度の球圧がかかると遊技球が上方へと押し出されて退避移動しようとするため、過度の球圧が分散されて球詰りを回避することができる。また、整流部３２の誘導壁３２ａは、図１０に示す遊技球Ｂの部位Ｓ２が接触し得る傾斜の大きな曲面に形成している。図面上では傾斜角４５度を境として遊技球Ｂの接触部位Ｓ１とＳ２を分岐している。隆起部３４と誘導壁３２ａの境界は不連続とならないように曲面で繋げている。
【００３０】
整流部３２の上面は、貯留部３０の底壁２５の傾斜方向と逆傾斜（図上右側壁２９側にのみ約４°の傾斜）している。つまり図５矢印に示すように貯留部３０の遊技球の流下方向に対して流下抵抗を与えるように登り傾斜として、球流出口３３に球圧が集中しないようにしている。
【００３１】
また、実施例において隆起部３４は緩やかに漸次低くなる曲率の大きな円弧状に形成されており、隆起部３４の下流端（裾部）の一部が、図４及び図５に示すように球整流路部２１の幅員Ｗ内に臨むように位置している。但し、隆起部３４の前側壁２６に向かう下流端位置は、隆起部３４が遊技球の流下を妨げないように少なくとも遊技球１個が流下し得る間隔をもって形成するのがよい。このように、隆起部３４の一部を球整流路部３１の幅員Ｗ内に臨ませて、球整流路部３１の底壁２５の平坦面部を一旦球整流路部３１の幅員Ｗより狭くすることで、貯留部３０を流下する遊技球が整流部３２で収斂される際に隆起部３４を裾部から上ることになり、球整流路部３１と接している遊技球と球心位置が高さ方向にずれるため、球詰りの要因となる過剰な球圧を軽減させ球詰まりを未然に防ぐようにしている。また、隆起部３４により前側壁２６側に遊技球が誘導されるもののすぐに幅員Ｗに拡幅されて球圧が拡散するため、遊技球が球整流路部３１をスムーズに流下することになる。なお、隆起部３４の高さは遊技球１個以下が好ましく、なだらかな傾斜面とするのがよい。この傾斜面は、凸面，凹面的であってもよく、整流部３２の誘導壁３２ａ近傍に位置する頂部から放射状に漸次低くなるようにすればよい。
【００３２】
上記のように構成される球タンク１８は、図１及び図４に示すように前側壁２６を内枠４の取付部に当接させてビス止め等の適宜手段によって固着され、遊技球が図示されない補給経路から補給されて貯留部３０に貯留される。そして、賞球又は貸球信号により球払出装置２０が作動して遊技球が球払出通路２１に払出されると、貯留部３０に貯留される遊技球は、自重により底壁２５の傾斜面に沿って上流側から下流側へと緩やかに転動して下流に進む。このとき後側壁２７側の遊技球は、整流部３２の誘導壁３２ａに到達すると整流部３２を形成する凸状円弧面によってその球圧を吸収すると共に球崩しを行いながら徐々に方向を変えて前側壁２６側に向かい下流側に流下していく。つまり、遊技球は、膨出形成した整流部３２の誘導壁３２ａの曲面に沿って、球流出口３３に向けて流下していくため、その流下距離は比較的長くなり、多くの賞球が払い出された場合であっても球流出口３３側（球誘導路１９側）にスムーズかつ確実に誘導される。また、遊技球が球整流路部３１を流下する際に、遊技球が球整流路部３１の幅員内に臨む隆起部３４に干渉して、遊技球の流下状態によって緩やかな傾斜面を上ったりその傾斜により前側壁２６側へ移動したりして、遊技球の流下態様に変化を与え、球詰りの要因となる過剰な球圧がさらに吸収される。そして、整流部３２の上面に位置する遊技球は、整流部３２の上面の傾斜により貯留部３０の上流側に戻りながら貯留部３０の底壁２５に沿って流下する遊技球と合流して球整流路部３１に取込まれ、球流出口３３側（球誘導路１９側）に誘導される。また、貯留部３０の流路幅は、整流部３２によって下流に近づくに従い狭くなるものの、その流下距離に対して狭窄される割合が緩やかであるため、貯留部３０内を流下する遊技球が相互に圧接する圧力が減少して球詰まりが生じ難くなり、遊技球はスムーズに球流出口３３に向かって流下することになる。このとき、隆起部（第一傾斜誘導部）３４及び誘導壁（第二傾斜誘導部）３２ａが、連続状態の遊技球が互いに隣接した状態で接触する部位の曲率が夫々異なるように形成されているため、貯留部３０の遊技球は一気に球流出口３３に向うことがないので、遊技球が球整流路部３１及び球流出口３３で球噛み，球詰りを起こすことがない。
【００３３】
なお、球整流路部３１を遊技球が一列で整列する幅員としてもよく、さらには球整流路部３１に球誘導路１９に対応するように仕切壁を設けるようにしてもよい。
【００３４】
次に球受皿１０について説明する。球受皿は１０、図７乃至図９に示すように、ベースとなる当て板部材４０と、その当て板部材４０の前面に横設される皿部材５０と、それら当て板部材４０及び皿部材５０の前面側を覆う前飾り部材６０とを備えている。これら当て板部材４０、皿部材５０及び前飾り部材６０は、合成樹脂によって形成されている。
【００３５】
当て板部材４０には、球払出装置２０から払い出された遊技球が皿部材５０に流出する球導入口１０ａと発射装置７に遊技球を送り出す球導出口１０ｂとが開設されている。
【００３６】
皿部材５０は、底壁５１から起立する外周壁５２により上面が開放された皿状として形成され、球払出装置２０から払出された遊技球を貯留する貯留部５３と、その貯留部５３で貯留した遊技球を発射装置７に１個ずつ供給するために１列に整列して流下させる整流通路５４とを有している。
【００３７】
皿部材５０の底壁５１には、底壁５１の後端縁５１ａに沿って長手状をなし、一段窪むとともに所定の厚みを有する整流通路５４が形成されている。その整流通路５４には、整流通路５４の底面が摩耗されることがないようにその耐久性を高めるために、屈曲形成された１枚からなる金属プレート５６が上面から後端面及び下面にかけて挟み込むように組み付けられている。これにより、整流通路５４は、底壁が金属プレート５６によって形成され、後壁が当て板部材４０によって形成される。
【００３８】
底壁５１は、略中央から下流側に設けられる段差部５７によって形成される下流側の第一底面５１ａと上流側の第二底面５１ｂとで構成されており、この両面部に跨って略円形の球抜き孔５８が形成されている。球抜き孔５８は、通常球抜き部材５９によって塞がれており、球受皿１０に設けられる操作レバー（図示せず）を押圧操作することで、球抜き部材５９が移動して球抜き孔５８を開放し、球部材５０内の遊技球を球抜き孔５８から下方に抜き取ることができるようになっている。第二底面５１ｂの傾斜角を第一底面５１ａの傾斜角よりも若干小さく形成している。つまり、上流側の第二底面５１ｂを下流側の第一底面５１ａよりも緩やかな傾斜として、下流側への球圧を軽減するようにしている。また、球抜き孔５８の上流部の底面５１ｃを緩やかな逆傾斜として上流側に向かってデルタ状に形成して、球抜き孔５８を開放している間でも球導入口１０ａから流出した遊技球が、球抜き孔５８から直接回収されることなく、発射装置７に優先的に誘導供給されるようにしている。
【００３９】
また、球導入口１０ａに対向する前側壁の上部（所定の高さ位置より上方）を外方（前方）に器状に膨出して、遊技球の補助貯留部４５を形成している。この補助貯留部４５は、球受皿１０が球導入口１０ａから流出する遊技球で満たされた際に、さらに遊技者が球導入口１０ａから遊技球を球受皿に掻き入れたときに、遊技球が球受皿１０から溢れることなく補助貯留部４５に貯留され、より多くの遊技球が貯留されることになる。そのため、球箱に抜き取る頻度が少なくなるので、遊技球を球箱から球受皿１０に戻す煩わしさが少なくなる。また、この補助貯留部４５は、遊技者が球箱から球受皿１０に遊技球を移し替える際に、遊技球を流し入れるガイド部の役割を果たし、さらに遊技球が球導入口１０ａから勢いよく流出したときや球貸し機から遊技球を受け入れた際に跳ねた遊技球を受容して、遊技球が球受皿１０の外に飛び出さないようにする役割も果たす。
【００４０】
整流通路５４は、具体的には皿部材５０の下流側に皿部内に整流部４６を隆起して、その誘導壁４７により貯留部５３を順次幅狭とすることで形成されている。誘導壁４７は、球抜き孔５８に向けて底壁５１を下流側に隆起した第一傾斜誘導部４７ａと外周壁から膨出させた第二傾斜誘導部４７ｂを曲面上に繋げて凸部を形成し、下流に向けて球を整流させるように底面の平滑部を漸次狭めながら、一列に整列された整流通路５４の凸部に繋がる鉛直の壁から不連続にならないように曲面で繋げて形成される。第一傾斜誘導部４７ａは、当て板部材４０（整流通路５４側）に向って凸状に張り出し、球一個が流れを制約させせることなく平滑部と一定角度の傾斜を保つように、球流れ用の金属プレート５６によって隆起部が切断された形状を備える。誘導壁４７はすべて曲面で形成され、該誘導壁４７に誘導され互いに隣接する遊技球が接触する曲面の曲率が夫々異なるように形成されている。つまり、同じ曲率を有する曲面は広くても遊技球の１個分より小となるように形成され、その曲率が異なる曲面は遊技球の直径寸法以下の間隔で連続している。
【００４１】
上記のように構成される球受皿１０は、球払出装置２０から払い出された遊技球が球導入口１０ａから貯留部５３に補給されて貯留される。そして、発射ハンドル１３の操作により発射装置７が作動して遊技球が遊技盤６面に打ち出されると、貯留部５３に貯留される遊技球は、底壁５１の傾斜面に沿って上流側の第一底面５１ａから段差部５７を介して下流側の第二底面５１ｂへと緩やかに転動して下流に進む。このとき外周壁５２側の遊技球は、誘導壁４７に到達すると凸状円弧面によってその球圧を吸収されながら球崩しを行い、その曲面により徐々に方向を変えて当て板部材４０側に向かい下流側に流下していく。遊技球は、膨出形成した整流部４６の誘導壁４７の曲面に沿って、球導出口１０ｂに向けて流下していく。このとき、図６を参照して前述した球タンク１８の誘導壁３２ａと同様に、誘導壁４７に誘導され互いに隣接する遊技球が接触する曲面の曲率（曲率中心）が夫々異なることから、球荷重により移動する際の方向性（ベクトル）が常に異なり、球圧が分散され球詰まりを起こすことなく整流される。
【００４２】
なお、遊技機の一例としてぱちんこ機について説明したが、ぱちんこ機のように遊技球を遊技媒体として遊技球を遊技盤面に発射して遊技する雀球遊技機，アレンジボール式遊技機の他に、コインの代わりに遊技球を使用して遊技をする回胴式遊技機のように、遊技球を貯留する球タンク、球受皿が設けられる遊技機にも本発明を適用することができる。また、実施の形態に示した内容に限定されるものではなく、この発明の要旨を逸脱しない範囲で、種々の形態を実施し得るものである。
【符号の説明】
【００４３】
１                ぱちんこ機（遊技機）
６                遊技盤
６ａ              遊技領域
７                発射装置
１０              球受皿
１１              打球供給装置（送出手段）
１８              球タンク
２０              球払出装置（送出手段）
２５              底壁（底面）
２７              後側壁（外周壁）
３０              貯留部
３１              球整流路部（整流通路）
３２              整流部
３２ａ            誘導壁（第二傾斜誘導部）
３４              隆起部（第一傾斜誘導部）
４６              整流部
４７              誘導壁
４７ａ            第一傾斜誘導部
４７ｂ            第二傾斜誘導部
５１              底壁（底面）
５１ａ            第一底面
５１ｂ            第二底面
５１ｃ            底面
５２              外周壁
５３              貯留部
５４              整流通路
Ｏ１，Ｏ２        曲率中心
【図１】
2010264017.tif 000003
【図２】
2010264017.tif 000004
【図３】
2010264017.tif 000005
【図４】
2010264017.tif 000006
【図５】
2010264017.tif 000007
【図６】
2010264017.tif 000008
【図７】
2010264017.tif 000009
【図８】
2010264017.tif 000010
【図９】
2010264017.tif 000011
【図１０】
2010264017.tif 000012